(57)【要約】      （修正有）【課題】簡易な構造で着用者の不快感を防止できる保湿体、及び保湿体を有するマスクを提供する。【解決手段】マスク１は、着用者の口及び鼻を少なくとも覆うマスク本体部３と、着用者に対面するマスク本体部３の着用面に着脱可能なぬれフィルタ１３とを有している。ぬれフィルタ１３は、当該着用面に着脱可能に貼付される貼付面を備えた面ファスナー１５と、貼付面の裏面側に配置されて水分を吸水した吸水体とを有している。【選択図】図１
0003209423.tif 000002
【実用新案登録請求の範囲】
【請求項１】
被装着物に着脱可能に貼付される貼付面を備えた貼付体と、
前記貼付面の裏面側に配置され、水分を吸水した吸水体と
を有することを特徴とする保湿体。
【請求項２】
熱可塑性材料で形成され、前記貼付体と前記吸水体とを溶着する溶着層をさらに有すること
を特徴とする請求項１記載の保湿体。
【請求項３】
前記貼付体及び前記吸水体は、端部に形成された切り欠き部を有すること
を特徴とする請求項１又は２に記載の保湿体。
【請求項４】
前記貼付体は、メカニカルファスナーであること
を特徴とする請求項１から３までのいずれか一項に記載の保湿体。
【請求項５】
前記吸水体は、所定の薬液を含浸していること
を特徴とする請求項１から４までのいずれか一項に記載の保湿体。
【請求項６】
着用者の口及び鼻を少なくとも覆うマスク本体部と、
前記着用者に対面する前記マスク本体部の面に着脱可能な請求項１から５までのいずれか一項に記載の保湿体と
を有することを特徴とするマスク。
【請求項７】
前記マスク本体は、前記保湿体の装着位置の目安となる装着目安部を有すること
を特徴とする請求項６記載のマスク。
【請求項８】
前記装着目安部は、溶着により形成されていること
を特徴とする請求項７記載のマスク。
【請求項９】
前記保湿体は、前記マスク本体部の口元空間に前記吸水体を露出した状態で該マスク本体部に装着されること
を特徴とする請求項６から８までのいずれか一項に記載のマスク。
【請求項１０】
前記マスク本体の口元空間は、前記保湿体の弾性力により押し広げられること
を特徴とする請求項６から９までのいずれか一項に記載のマスク。
【考案の詳細な説明】
【技術分野】
【０００１】
本考案は、被装着物に着脱可能な保湿体、着用者の顔に装着されるマスクに関する。
【背景技術】
【０００２】
所定部材を装着した立体型マスクが知られている。
【先行技術文献】
【特許文献】
【０００３】
【特許文献１】特許第５０１６９５４号公報
【特許文献２】特許第５２６８４３２号公報
【特許文献３】特開２０１３−２４８００７号公報
【考案の概要】
【考案が解決しようとする課題】
【０００４】
しかしながら、従来のマスクは、着用者に不快感を与えないために、所定部材に含まれる揮発材が着用者に接触しないように、当該所定部材をシートで挟んだり（特許文献１）、所定部材を収納するための収納部をマスクに設けたりしている（特許文献２）。また、特許文献３には、所定部材（マスク用取付具）を着用者の顎と鼻で支持することが開示されている。
このように、従来のマスクでは、所定部材を着用者に接触させずに着用者に不快感を与えないためには、所定部材やマスクの構造を複雑にしなければならないという問題がある。
【０００５】
本考案の目的は、簡易な構造で着用者の不快感を防止できる保湿体、マスクを提供することにある。
【課題を解決するための手段】
【０００６】
上記課題を解決するために、本考案の一態様による保湿体は、被装着物に着脱可能に貼付される貼付面を備えた貼付体と、前記貼付面の裏面側に配置され、水分を吸水した吸水体とを有することを特徴とする。
上記一態様による保湿体は、熱可塑性材料で形成され、前記貼付体と前記吸水体とを溶着する溶着層をさらに有していてもよい。
前記貼付体及び前記吸水体は、端部に形成された切り欠き部を有していてもよい。
前記貼付体は、メカニカルファスナーであってもよい。
前記吸水体は、所定の薬液を含浸していてもよい。
【０００７】
また、上記課題を解決するために、本考案の一態様によるマスクは、着用者の口及び鼻を少なくとも覆うマスク本体部と、前記着用者に対面する前記マスク本体部の面に着脱可能な上記一態様による保湿体とを有することを特徴とする。
前記マスク本体は、前記保湿体の装着位置の目安となる装着目安部を有していてもよい。
前記装着目安部は、溶着により形成されていてもよい。
前記保湿体は、前記マスク本体部の口元空間に前記吸水体を露出した状態で該マスク本体部に装着されてもよい。
前記マスク本体の口元空間は、前記保湿体の弾性力により押し広げられてもよい。
【０００８】
また、上記課題を解決するために、本考案の一態様によるマスクの製造方法は、シート状の第１シート部材と、シート状を有し前記第１シート部材よりも幅の狭い第２シート部材とを重ね合わせ、前記第１及び第２シート部材を溶着して、前記第１及び第２シート部材を貼り合わせた貼り合わせ部と同時に、所定部材の装着位置の目安となる装着目安部を形成する装着目安部形成工程と、前記第１シート部材が前記第２シート部材を覆うように前記貼り合わせ部を重ね合わせ、前記貼り合わせ部とは反対側を溶着してマスク本体の中央線を形成する中央線形成工程と、前記第１及び第２シート部材から前記マスク本体を型抜きする型抜き工程と、前記貼り合わせ部の外側に張り出した前記第１シート部材に耳掛け部を溶着する耳掛け部溶着工程とを有することを特徴とする。
前記中央線形成工程において、前記装着目安部の間に前記中央線を形成してもよい。
前記所定部材は、前記着用者に対面する前記マスク本体部の面に着脱可能に貼付する貼付面を備えた貼付体と、前記貼付面の裏面側に配置され、水分を吸水した吸水体とを備えた保湿体であってもよい。
【考案の効果】
【０００９】
本考案によれば、簡易な構造で着用者の不快感を防止できる。
【図面の簡単な説明】
【００１０】
【図１】本考案の一実施形態によるマスク１の概略構成を示す斜視図である。
【図２】本考案の一実施形態によるマスク１を説明する図であって、拡開したマスク１を着用者側から見た状態を示している。
【図３】本考案の一実施形態による保湿体としてのぬれフィルタ１３の概略構成を示す図である。
【図４】本考案の一実施形態によるマスク１を説明する図であって、ぬれフィルタ１３が装着されたマスク１を着用者Ａが着用している状態を模式的に示している。
【図５】本考案の一実施形態によるマスク１の製造工程を説明する図である。
【考案を実施するための形態】
【００１１】
本考案の一実施形態による保湿体、マスク及びマスクの製造方法について図１から図５を用いて説明する。まず、本実施形態によるマスク１の概略構成について図１及び図２を用いて説明する。
図１は、本実施形態によるマスク１の概略構成を示す斜視図である。図２は、拡開したマスク１を着用者側から見た状態を示している。マスク１は、例えば立体型であって、１回又は数回の使用を想定した使い捨てマスクである。マスク１は、花粉対策や風邪などのウイルス対策としてのバリア機能のみならず、口元や鼻腔の空間内の保湿などを想定したマスクである。
【００１２】
図１に示すように、マスク１は、マスク本体部３と耳ひも部７とを有している。
マスク本体部３は、マスク１の着用者の口及び鼻を少なくとも覆うようになっている。図１及び図２に示すように、マスク本体部３は、中央線９によって区分けされた左側シート片３ａと、右側シート片３ｂとを有している。中央線９は、マスク本体部３のほぼ中央に形成されている。中央線９は、マスク本体部３の上端部から下端部まで上下方向に長手状に伸びて形成されている。中央線９は、上方側に設けられた上部中央線９ａと、下方側に設けられた下部中央線９ｂとを有している。上部中央線９ａは、マスク１の着用者として想定された平均的な人物の鼻背部から鼻尖部に対応する領域であり、下部中央線９ｂは、当該人物の鼻尖部から顎の先端までに対応する領域である。中央線９は、上部中央線９ａと下部中央線９ｂとの境界で折れ曲がっている。上部中央線９ａはほぼ直線形状を有し、下部中央線９ｂは外側（着用者側の反対側）に膨らんだ曲線形状を有している。
【００１３】
着用者側から見て、中央線９の左側には左側シート片３ａが設けられており、中央線９
の右側には右側シート片３ｂが設けられている。左側シート片３ａは着用者の左顔面を覆い、右側シート片３ｂは着用者の右顔面を覆うようになっている。中央線９を先端部として、左側シート片３ａ、右側シート片３ｂ及び中央線９によって構成されるマスク本体部３の着用者に対面する着用面は、着用者側から見て、全体として凹形状を有している。これにより、マスク本体部３の着用面と着用者との間には、所定の空間（以下「口元空間」と称する）１９が形成される。
【００１４】
マスク本体部３は、外側に配置される第１シート部材と着用者側に配置される第二シート部材とで構成された二層構造を有している。マスク本体部３は、中央線９から左側シート片３ａ及び右側シート片３ｂそれぞれの貼り合わせ部１１まで二層構造を有し、貼り合わせ部１１から左右端部までは第１シート部材による一層構造を有している。詳細は後述するが、貼り合わせ部１１は第１シート部材と第二シート部材との溶着時に形成された領域である。また、図示は省略するが、マスク本体部３の上辺及び下辺にも貼り合わせ部が形成されている。
【００１５】
マスク本体部３は、取付目印（装着目安部の一例）５を有している。取付目印５は、上部中央線９ａと下部中央線９ｂとの境界近傍の下部中央線９ｂを挟んで形成されている。詳細は後述するが、取付目印５は、ぬれフィルタ１３の装着位置の目安として用いられる。取付目印５は、左側シート片３ａ及び右側シート片３ｂのそれぞれに形成され、上方に傾斜して一直線上に並んで形成された複数の点状部で構成されている。取付目印５は、溶着により形成されている。詳細は後述するが、取付目印５は、第１シート部材及び第２シート部材を溶着する際に同時に形成される。取付目印５は、溶着されることにより、貼り合わせ部１１を除くマスク本体部３の他の部位よりも薄くなるので可視光の透過率が向上する。これにより、取付目印５は、マスク本体部３の当該他の部位と色の濃淡が異なるので、ぬれフィルタ１３の取り付け用の目印としての機能を発揮する。取付目印５は、当該他の部位と色の濃淡が異なるだけで色相は変わらないので、マスク１の使用時にほとんど目立たないようになっている。
【００１６】
マスク本体部３、すなわち左側シート片３ａ及び右側シート片３ｂは、例えばいずれも熱可塑性合成繊維の不織布を用いて形成されている。この熱可塑性繊維としては、ポリエチレン、ポリプロピレン、ポリエチレンテレフタレート等が使用される。また、この不織布は、通気性を有し、肌触りがよく着用の感触がよく、かつ顔に被着されたときに立体構造が保持され易くなるように耳ひも部７よりも低伸縮性であることが望ましい。
【００１７】
マスク本体部３の左右端部にはそれぞれ、耳ひも部７が溶着されている。耳ひも部７は、細長い紐形状を有し、両端部が当該左右端部に溶着されている。左右それぞれの耳ひも部７は、当該左右端部とともに、着用者の耳を通すことのできる開口７ａを備えたリング形状を有している。
マスク１の着用時には、着用者の顔、特に鼻及び口をマスク本体部３によって覆った状態で、耳ひも部７の開口７ａが着用者の耳に引っ掛けられる。耳ひも部７は、マスク本体部３と同様に熱可塑性合成繊維の不織布であって、かつ耳に過度な負荷を与えないような伸縮性を有する素材を用いて形成されるのが好ましい。耳ひも部７は例えば、ポリウレタンやポリエステルで形成されている。
【００１８】
次に、本実施形態による保湿体としてのぬれフィルタ１３について、図１及び図２を参照しつつ図３を用いて説明する。図３は、ぬれフィルタ１３の概略構成を示す図である。図３の図中上側には、ぬれフィルタ１３の側面図が示され、図中下側には、ぬれフィルタ１３の平面図が示されている。
図３に示すように、ぬれフィルタ１３は、被装着物としてのマスク本体部３（図３では不図示）に着脱可能に貼付される貼付面１６を備えた面ファスナー（貼付体の一例）１５
と、貼付面１６の裏面側に配置されて水分を吸水した吸水体１７とを有している。また、ぬれフィルタ１３は、熱可塑性材料で形成され、面ファスナー１５と吸水体１７とを溶着する溶着層２３を有している。溶着層２３は、面ファスナー１５と吸水体１７との間に配置されている。溶着層２３は、熱可塑性材料として例えばポリプロピレンで形成されている。
【００１９】
面ファスナー１５と吸水体１７とが例えば接着剤で接着すると、当該接着剤と吸水体１７に含浸した薬液とが反応し、当該接着剤の接着力が低下してしまう場合がある。この場合、吸水体１７が面ファスナー１５から剥がれてしまう可能性がある。
これに対し、本実施形態では、面ファスナー１５と吸水体１７とは溶着されているので、溶着層２３と吸水体１７とは反応しない。このため、吸水体１７が面ファスナー１５から剥がれてしまうことを防止できる。
【００２０】
面ファスナー１５は、例えばメカニカルファスナーである。面ファスナー１５の貼付面１６には、先端が楔形状に張り出した係合部１６ａが複数形成されている。係合部１６ａは、貼付面１６の全面に形成されている。面ファスナー１５は、例えばポリプロピレンで形成されている。係合部１６ａが先端が楔形状に張り出した形状を有しているため、面ファスナー１５は、マスク１の装着面に対する適度な係合力と、優れたせん断方向への応力とを有する。ぬれフィルタ１３は、マスク１に一旦装着すると、例えば着用者がぬれフィルタ１３を取り外すために外力を加えない限り、自重により落下しない程度の係合力でマスク１に保持される。
【００２１】
吸水体１７には、水、防腐剤及び香料などを含む所定の薬液が含浸されている。吸水体１７は、例えばパルプ及びポリエチレンテレフタラート又はポリエチレンの合成材料で形成されている。吸水体１７は外部に露出している。
【００２２】
ぬれフィルタ１３は、例えば薄板長方形状を有している。ぬれフィルタ１３の角部は丸みを帯びた形状を有している。ぬれフィルタ１３は、長辺側端部中央に切り欠き部２１をそれぞれ有している。すなわち、面ファスナー１５及び吸水体１７は、長辺側端部中央に形成された切り欠き部２１を有している。
図１の図中太矢印で示すように、ぬれフィルタ１３は、面ファスナー１５側をマスク１に向けてぬれフィルタ１３をマスク本体部３の着用面に装着される。ぬれフィルタ１３をマスク本体部３に装着する際に着用者は、ぬれフィルタ１３の両短辺を指で摘まみ、面ファスナー１５が外側となり吸水体１７が内側となるように折り曲げて、取付目印５を目安にぬれフィルタ１３をマスク本体部３に装着する。ぬれフィルタ１３には切り欠き部２１が形成されているので、ぬれフィルタ１３は容易に折れ曲がるようになっている。例えば着用者は、ぬれフィルタ１３の上辺が取付目印５の近傍に配置されるように位置合わせしてぬれフィルタ１３から手を放すと、図２に示すように、ぬれフィルタ１３は弾性力により折れ曲がった状態から平坦な状態に戻る。これにより、面ファスナー１５の貼付面１６の全面がマスク本体部３と接触し、係合部１６ａと着用面とが係合してぬれフィルタ１３がマスク１に装着される。
【００２３】
図２に示すように、取付目印５は、ぬれフィルタ１３の上辺に沿わないように形成されている。着用者は一般に、取付目印にぬれフィルタを正確に合わせようとする傾向がある。このため、取付目印がぬれフィルタの外形に沿っている場合、顔の大きい着用者が取付目印にぬれフィルタを正確に合わせてしまうと、ぬれフィルタが着用者の鼻尖部に当たってしまい、着用者に不快感を与えてしまう可能性がある。
これに対し、本実施形態によるマスク１では、取付目印５は、ぬれフィルタ１３の形状にあえて一致していない形状を備えている。このため、着用者は、ぬれフィルタ１３をマスク１に装着する際に、自分の顔の大きさとマスク１の大きさとを念頭に置きながら、取
付目印５を目安としつつも取付目印５の位置に規制されずに自分の好みの場所にぬれフィルタ１３を装着できる。例えば顔の大きい着用者の場合には、当該着用者は、鼻尖部が下部中央線９ｂに届きそうであると予測したら、取付目印５よりも下方にぬれフィルタ１３を装着して、ぬれフィルタ１３が鼻尖部に触れるのを防止する。このように、マスク１は、ぬれフィルタ１３の形状にあえて一致させていない形状を備えた取付目印５を有しているため、着用者の好みの場所にぬれフィルタ１３を装着させることができる。これにより、マスク１は、ぬれフィルタ１３が顔の一部に接触することによる着用者の不快感を防止できる。
【００２４】
図４は、ぬれフィルタ１３が装着されたマスク１を着用者Ａが着用している状態を模式的に示している。図４は、着用者Ａの左横顔を見た図であり、理解を容易にするため、マスク１に隠れて本来視認することができない着用者Ａの横顔の輪郭線も合わせて図示されている。
図４に示すように、ぬれフィルタ１３は取付目印５を目安として着用者Ａの好みの場所に装着されている。ぬれフィルタ１３は、マスク１に装着された後も平板形状に戻ろうとする弾性力でマスク本体部３の着用面を押し続ける。このため、口元空間１９は、ぬれフィルタ１３の弾性力により押し広げられる。これにより、ぬれフィルタ１３は着用者Ａの顔（例えば唇）に接触し難くなる。また、マスク１は、ぬれフィルタ１３が着用者Ａの顔に接触しにくい構造を有しているので、ぬれフィルタ１３は、吸水体１７を口元空間１９に露出させた状態で装着させることができる。また、ぬれフィルタ１３は、吸水体１７の前面に所定の層を設ける必要がないので、吸水体１７に含浸された薬液に含まれる香料などが着用者に届きやすくなる。このため、ぬれフィルタ１３は、所定の層などを設ける場合と比較して、小さく形成でき、かつ吸水体１７に含浸する薬液の量を低減できる。
【００２５】
ぬれフィルタ１３が口元空間１９を押し広げる力は、例えばマスク本体部３の剛性よりも強く、かつ当該押し広げる力によって耳ひも部７が前方に引っ張られて着用者に不快感を与えない程度であることが望ましい。当該押し広げる力は、例えばぬれフィルタ１３の弾性力などで規定される。
【００２６】
以上説明したように、本実施形態による保湿体及びマスクによれば、ぬれフィルタ１３は、面ファスナー１５に吸水体１７を溶着した簡易な構造を有し、マスク１は、従来とほぼ同じ形状のマスクに溶着により形成した取付目印５を備えているという簡易な構造を有している。この簡易な構造のぬれフィルタ１３及びマスク１によれば、ぬれフィルタ１３が着用者に接触するのを防止できる。これにより、本実施形態によれば、着用者の不快感を防止できる。
【００２７】
次に、本実施形態によるマスクの製造方法について図５を用いて説明する。図５は、本実施形態によるマスク１の製造工程を模式的に示す図である。
マスク本体部３（図１参照）の形成材料で形成されたシート状の第１シート部材２５と、当該形成材料で形成されたシート状の第２シート部材２７とが準備される。第２シート部材２７は第１シート部材２５よりも狭い幅に形成されている
次に、図７（ａ）に示すように、第１シード部材２５の短手方向の中心と第２シート部材２７の短手方向の中心とを一致させながら第１シート部材２５上に第２シート部材２７を重ね合わせる。これにより、第１及び第２シート部材２５、２７が重なった領域は二層構造になり、第１及び第２シート部材２５、２７が重なっていない領域は一層構造になる。
【００２８】
次に、第１及び第２シート部材を例えば超音波溶着して、第１及び第２シート部材２５、２７を貼り合わせた貼り合わせ部１１、２９、３１を形成する。貼り合わせ部１１、２９、３１の形成と同時に、取付目印５を形成する（装着目安部形成工程の一例）。貼り合
わせ部１１は、マスク本体部３の上辺の貼り合わせ部となり、貼り合わせ部２９はマスク本体部３の下辺の貼り合わせ部となる。
【００２９】
次に、図５（ｂ）に示すように、第１シート部材２５が第２シート部材２７を覆うように貼り合わせ部１１を重ね合わせ、貼り合わせ部１１とは反対側を例えば超音波溶着してマスク本体部３の中央線９を形成する（中央線形成工程の一例）。このとき、中央線９は例えば２つの取付目印５の間に形成される。
【００３０】
次に、図５（ｃ）に示すように、第１及び第２シート部材２５、２７からマスク本体部３を型抜きする（型抜き工程の一例）。
次に、別の工程で製造された耳ひも部７を準備する。
【００３１】
次に、図５（ｄ）に示すように、貼り合わせ部１１の外側に張り出した第１シート部材２５（すなわち左側シート片３ａ）に耳ひも部７を例えば超音波溶着する（耳掛け部溶着工程の一例）。
これにより、マスク１が完成する。
【００３２】
以上説明したように、本実施形態によるマスクの製造方法によれば、新たな工程を追加せずに、貼り合わせ部を形成する工程で取付目印５を形成できる。これにより、製造コストの増加を防止するとともに、着用者の不快感を防止できるマスクを製造することができる。
【００３３】
本考案は、上記実施の形態に限らず、種々の変形が可能である。
上記実施形態では、マスク１は立体型マスクであるが本考案はこれに限られない。例えばプリーツ型のマスクであっても同様の効果が得られる。
【符号の説明】
【００３４】
１  マスク
３  マスク本体部
３ａ  左側シート片
３ｂ  右側シート片
５  取付目印
７  耳ひも部
７ａ  開口
９  中央線
９ａ  上部中央線
９ｂ  下部中央線
１１  貼り合わせ部
１３  ぬれフィルタ
１５  面ファスナー
１６  貼付面
１６ａ  係合部
１７  吸水体
１９  口元空間
２１  切り欠き部
２３  溶着層
２５  第１シート部材
２７  第２シート部材
【図１】
0003209423.tif 000003
【図２】
0003209423.tif 000004
【図３】
0003209423.tif 000005
【図４】
0003209423.tif 000006
【図５】
0003209423.tif 000007